(57)【特許請求の範囲】
【請求項１】
利用者の回動操作に基づいて容器本体側の内容物が外部空間域に放出される内容物放出機構において、
前記容器本体に一体化されたカバー体と、
前記カバー体に取り付けられた回動操作用のトリガレバーと、
前記トリガレバーの前記回動操作と連動して前記内容物に対する弁作用部をそれまでの閉状態から開状態に移行させ、かつ、当該弁作用部から流入する内容物の放出通路を有する筒状の可動通路部材と、を備え、
前記トリガレバーは、
前記可動通路部材の後述の被押下げ部に対応する範囲に連続形成され、前記回動操作の際、当該被押下げ部に当接して当該可動通路部材を下動させる単一の押下げ部を有し、
前記筒状の可動通路部材は、
その長手方向と交差して、かつ、その上側と交差方向側とのそれぞれに突出する態様で連続形成された単一の被押下げ部を有している、
ことを特徴とする内容物放出機構。
【請求項２】
前記可動通路部材の縦方向周面部分に取り付けられて前記トリガレバーの前記回動操作を阻止するためのストッパーを備え、
前記ストッパーは、
縦方向に撓む形状の衝撃吸収作用部を有している、
ことを特徴とする請求項１記載の内容物放出機構。
【請求項３】
前記衝撃吸収作用部は、
前記可動通路部材の縦方向周面部分に取外し自在な態様で取り付けられるストッパー本体部からなり、
前記カバー体は、
前記ストッパー本体部の下端部分と当接する第１の被当接部を有し、
前記トリガレバーおよび前記可動通路部材の少なくとも一つは、
前記ストッパー本体部の上端部分と当接する第２の被当接部を有している、
ことを特徴とする請求項２記載の内容物放出機構。
【請求項４】
前記ストッパー本体部は、
前記可動通路部材の縦方向周面部分に取り付けられた状態での、横方向の断面形状がＣ字状となる部分を含むものである、
ことを特徴とする請求項３記載の内容物放出機構。
【請求項５】
前記可動通路部材は、
前記第２の被当接部を、前記ストッパー本体部の前記横方向のＣ字状断面形状に対応したＣ字状部分を含む段部の形で有している、
ことを特徴とする請求項４記載の内容物放出機構。
【請求項６】
請求項１乃至請求項５のいずれかに記載の内容物放出機構を備え、かつ、内容物を収容した、
ことを特徴とするポンプ式製品。
【請求項７】
請求項１乃至請求項５のいずれかに記載の内容物放出機構を備え、かつ、噴射用ガスおよび内容物を収容した、
ことを特徴とするエアゾール式製品。
【発明の詳細な説明】
【技術分野】
【０００１】
本発明は、回動操作用のトリガレバーを備えたポンプ式製品およびエアゾール式製品の内容物放出機構に関し、特にトリガレバーから、これに連動する内容物通過用の可動通路部材（ステムなど）への力伝達の、いわばインタフェース部分に関する。
【０００２】
また、内容物放出用の各種操作部（回動式のトリガレバーや押下げ式の操作ボタン）を備えたポンプ式製品およびエアゾール式製品の内容物放出機構で用いられる、誤動作防止用ストッパーに関する。
【０００３】
すなわち内容物通過用の可動通路部材の縦方向外周面や、それを囲むカバー体（ネジキャップなど）の縦方向外周面に取り付けられて、操作部の内容物放出位置への移動を阻止し、特に衝撃吸収部材としても作用する誤動作防止用ストッパーに関する。
【０００４】
本明細書においては内容物が放出されるノズル側を「前」と記載し、これとは反対側を「後」と記載する。すなわち図１，図２，図８，図１０，図１１などの左側が「前」、右側が「後」である。また、これらの図の上下方向を「縦」と記載し、この上下方向と交差する方向、主として直交する方向を「横」と記載する。
【背景技術】
【０００５】
従来、操作部として回動式のトリガレバーを備えた内容物放出機構の当該操作部の固定機構として、利用者のトリガレバー操作により往復動して内容物を放出するための可動通路部材の周囲に、この往復動を規制する回動式の誤動作防止部材（ストッパー）を設けた噴射機構が提案されている（特許文献１参照）。
【０００６】
ここでは、押下部材[27]の突き当て突部[27d]がストッパー部材[25]の段部[25d]に当接することにより、当該押下部材がさらに下方に移動しないようにしている。
【０００７】
しかしながら、この提案の場合、ストッパー部材[25]がロック位置のまま、エアゾール式，ポンプ式の製品自体の落下や製品上への重量物の積載によってトリガレバー[26]にその内容物放出操作時と同じ方向への強い力が加わると、突き当て突部[27d]が、ストッパー部材[25]の段部[25d]からはずれて逃げ凹部[25e]のない円筒部[25b]の内側に入り込んで、戻らなくなることがあった。
【０００８】
また、突き当て突部[27d]が円筒部[25b]に入り込む・入り込まないに関わらず、このような強い操作力が加わると、突き当て突部[27d]の下端部が段部[25d]への強い当接作用により潰れ広がってしまう。そのため、ストッパー部材[25]をロック解除位置にしてからトリガレバーの通常の放出操作をしようとしても、この強い当接作用により、突き当て突部[27d]の下端部が逃げ凹部[25e]の内面の摩擦で固着された状態になっていると、押下部材[27)]下動状態のまま戻らなくなることがあった。
【０００９】
このような不都合を解決すべく本件出願人は、回動式の誤動作防止部材（ストッパー）に、可動通路部材（押下部材）の下動阻止機能のみならず当該可動通路部材のいわば駆動源であるトリガレバーの回動阻止機能も併せ持たせることで、製品の落下や重量物の積載によって各構成要素の割れ，つぶれ，せん断，外れや潜りこみなどの事象が発生するのを防止した、内容物放出機構を提案済みである（特願２００９−１０９６１８）。
【先行技術文献】
【特許文献】
【００１０】
【特許文献１】特開２００３−２３０８５４号公報
【発明の概要】
【発明が解決しようとする課題】
【００１１】
この提案済みの特願２００９−１０９６１８においては、トリガレバーに対する誤動作防止部材（ストッパー）を、当該トリガレバー自体と、当該トリガレバーと連動する内容物通過用の可動通路部材（ステム）と、の双方の移動を個々に阻止する形状のものに設定し、これにより当該誤動作防止用部材の作動状態において内容物放出機構が縦方向などへの衝撃を受けたときの、トリガレバーや可動通路部材の保護性能を高めている。
【００１２】
本発明では、上述の特許文献１における不都合をさらに改善すべく、
(11)トリガレバーと可動通路部材との連動作用部分、すなわち両者の当接作用部分の形状をより大きな接触面積が確保される態様のものにし、
(12)可動通路部材やそのカバー体部分に対し着脱自在なＣ形断面形状の誤動作防止用ストッパーを用いて、これと、可動通路部材側の誤動作防止用の当接部との接触面積を回動タイプのストッパーの場合よりも大きくし、
(13)誤動作防止用ストッパーをその縦方向に撓む衝撃吸収形状のものに設定する、
(14)衝撃吸収形状の誤動作防止用ストッパーを用いて、
・回動タイプのトリガレバーと連動する可動通路部材のみを受ける、
・当該トリガレバーのみを受ける、
・当該トリガレバーおよび当該可動通路部材の双方を受ける、
・上下動タイプの操作ボタンを受ける、
などの構成をとっている。
【００１３】
以上の構成により、
トリガレバーに加わる操作力や衝撃力に対する可動通路部材の負担軽減化を図り、
さらには、誤動作防止用ストッパーを取り付けた状態での例えば製品自体（内容物放出機構）の落下や製品上への重量物の積載によって操作部材（トリガレバー，操作ボタン）などが衝撃を受けたときの、この操作部材およびこれにより駆動される可動通路部材（ステム）や誤動作防止用ストッパー，後述のカバー体などの一層の破損回避化を図る、
ことを目的とする。
【００１４】
なお、着脱自在なＣ形断面形状の誤動作防止用ストッパーの上記(12)の接触面積を回動タイプのストッパーの場合よりも大きく設定できるのは、回動タイプのストッパーと可動通路部材側との誤動作防止用接触範囲が当該可動通路部材側の周回長の半分未満に制約される一方、着脱タイプのストッパーにはそのような制約がないからである。
【００１５】
すなわち、この誤動作防止用接触範囲を当該周回長の半分以上に設定すると、回動タイプのストッパーをどのような回動位置に設定しても必ず可動通路部材側との接触部分が残ってしまい、誤動作防止モードを解除することができなくなる。
【００１６】
本発明は、上記目的を次のようにして達成する。
（１）利用者の回動操作に基づいて容器本体側の内容物が外部空間域に放出される内容物放出機構において、
前記容器本体に一体化されたカバー体（例えば後述のカバー体５）と、
前記カバー体に取り付けられた回動操作用のトリガレバー（例えば後述のトリガレバー１，１’）と、
前記トリガレバーの前記回動操作と連動して前記内容物に対する弁作用部をそれまでの閉状態から開状態に移行させ、かつ、当該弁作用部から流入する内容物の放出通路を有する筒状の可動通路部材（例えば後述の可動通路部材２）と、を備え、
前記トリガレバーは、
前記可動通路部材の、後述の被押下げ部に対応する範囲に連続形成され、前記回動操作の際、当該被押下げ部に当接して当該可動通路部材を下動させる単一の押下げ部（例えば後述の連動作用部１ｂ）を有し、
前記筒状の可動通路部材は、
その長手方向と交差して、かつ、その上側と交差方向側とのそれぞれに突出する態様で連続形成された単一の被押下げ部（例えば後述の円柱状部２ｃ）を有する、
態様の内容物放出機構を用いる。
（２）上記（１）において、
前記可動通路部材の縦方向周面部分（例えば後述の縦筒状部２ｄの外周面）に取り付けられて前記トリガレバーの前記回動操作を阻止するためのストッパー（例えば後述の衝撃吸収ストッパー６，６’，７〜１２，１３，１４）を備え、
前記ストッパーが、
縦方向に撓む形状の衝撃吸収作用部を有する、
態様の内容物放出機構を用いる。
（３）上記（２）において、
前記衝撃吸収作用部が、
前記可動通路部材の縦方向周面部分に取外し自在な態様で取り付けられるストッパー本体部（例えば後述の単一本体部６ｂ，７ｂ，９ｂ，１０ｂ，１１ｂ，１２ｂ，１３ｂ，１４ｂ，上側本体部８ｂ，下側本体部８ｃ）からなり、
前記カバー体が、
前記ストッパー本体部の下端部分と当接する第１の被当接部（例えば後述の小径筒状部５ｂ）を有し、
前記トリガレバーおよび前記可動通路部材の少なくとも一つは、
前記ストッパー本体部の上端部分と当接する第２の被当接部（例えば後述の湾曲平坦面部分１ｊ，直線平坦面部分１ｋ，段部２ｅ）を有する、
態様の内容物放出機構を用いる。
（４）上記（３）において、
前記ストッパー本体部が、
前記可動通路部材の縦方向周面部分に取り付けられた状態での、横方向の断面形状がＣ字状となる部分を含む、
態様の内容物放出機構を用いる。
（５）上記（４）において、
前記可動通路部材が、
前記第２の被当接部を、前記ストッパー本体部の前記横方向のＣ字状断面形状に対応したＣ字状部分を含む段部（例えば後述の段部２ｅ）の形で有する、
態様の内容物放出機構を用いる。
【００１７】
本発明は、以上の構成からなる内容物放出機構ならびに当該内容物放出機構を備えたポンプ式製品およびエアゾール式製品を対象としている。
【発明の効果】
【００１８】
本発明は、このようにトリガレバーと可動通路部材との連動作用部分の接触面積を大きくしているので、トリガレバーに加わる操作力や衝撃力に対する可動通路部材の負担軽減化を図ることができる。
【００１９】
また、
・可動通路部材やそのカバー体部分に対し着脱自在なＣ形断面形状の誤動作防止用ストッパーを用いて、これと、可動通路部材側の誤動作防止用の当接部との接触面積を回動タイプのストッパーの場合よりも大きくし、
・誤動作防止用ストッパーをその縦方向に撓む衝撃吸収形状のものに設定し、
・この衝撃吸収形状の誤動作防止用ストッパーを用いて、トリガレバー／可動通路部材や、上下動タイプの操作ボタンを受ける、
などしているので、
誤動作防止用ストッパーを取り付けた状態での例えば製品自体（内容物放出機構）の落下や製品上への重量物の積載によって操作部材（トリガレバー，操作ボタン）などが衝撃を受けたときの、この操作部材およびこれにより駆動される可動通路部材（ステム）や誤動作防止用ストッパー，カバー体などの上記破損（割れ，つぶれ，せん断，外れや潜りこみなど）をより確実に回避することができる。
【図面の簡単な説明】
【００２０】
【図１】トリガレバー操作式の内容物放出機構（その１）にＣ形断面形状のストッパーを取り付けた状態の誤動作防止モード（操作不能モード）を示す説明図である。
【図２】図１のストッパーを可動通路部材の縦筒状部から取り外した上でトリガレバーを回動操作した状態の作動モードを示す説明図である。
【図３】図１，図２のトリガレバーおよびこれと連動する可動通路部材の斜視状態を示す説明図であり、(a)はトリガレバーを示し、(b)は可動通路部材を示している。
【図４】図３のトリガレバーとは可動通路部材との当接範囲が異なるタイプのトリガレバーの斜視状態を示す説明図であり、(a)はトリガレバーを示し、(b)は可動通路部材を示している。
【図５】図１，図２の内容物放出機構にて使用されるＣ形断面形状の７種類の衝撃吸収シングルストッパー（可動通路部材対応のシングルストッパー）を示す説明図である。
【図６】Ｃ形断面形状でトリガレバー対応の衝撃吸収シングルストッパーを示す説明図である。
【図７】図６の衝撃吸収シングルストッパーとこれに対応した形状のトリガレバーとの斜視状態を示す説明図である。
【図８】トリガレバー式の内容物放出機構（その２）に、図６のトリガレバー対応の衝撃吸収シングルストッパーを取り付けた状態の誤動作防止モードを示す説明図であり、(a)は上から見たときの図を示し、(b)は横から見たときの図を示している。
【図９】Ｃ形断面形状でトリガレバー・可動通路部材対応の衝撃吸収ダブルストッパーを示している。
【図１０】トリガレバー式の内容物放出機構（その２）に、図９のトリガレバー・可動通路部材対応の衝撃吸収ダブルストッパーを取り付けた状態の誤動作防止モードを示す説明図であり、(a)は上から見たときの図を示し、(b)は横から見たときの図を示している。
【図１１】押下げ操作ボタン式の内容物放出機構に、操作部対応の衝撃吸収シングルストッパーを取り付けた状態の誤動作防止モードを示す説明図である。
【発明を実施するための形態】
【００２１】
上述したように、本発明の内容物放出機構および内容物放出機構用ストッパーはポンプ式製品およびエアゾール式製品の双方へ適用されえるものであるが、以下の記載では単なる説明の便宜上、必要に応じてポンプ式製品を前提とする。
【００２２】
図１〜図１０を用いて本発明を実施するための最良の形態を説明する。なお、本発明で用いられる衝撃吸収ストッパーの適用例として図１１の押下げ操作ボタン式の内容物放出機構についても併せて説明する。
【００２３】
なお、各図で用いるアルファベット付き参照番号の構成要素（例えば開口部１ａ）は原則として、当該参照番号の数字部分の構成要素（例えばトリガレバー１）の一部であることを示している。
【００２４】
図１〜図４，図７，図８および図１０において、
１は作動モード設定操作用の回動式のトリガレバー，
１ａはトリガレバー１の前側面上部分およびこれに続く天面前部分に形成されて、その中に後述のノズル３（可動通路部材２）の先端部分が入り込み、かつ、当該ノズルに対するトリガレバー１の回動操作を可能にするための開口部，
１ｂはトリガレバー１の天井面部分に形成されて後述の可動通路部材２への連動作用を呈する連動作用部，
１ｃは連動作用部１ｂの構成要素として、トリガレバー１の天井面および両側面のそれぞれから連続する態様で形成された一対の対向垂下部，
１ｄ，１ｄ’は連動作用部１ｂの構成要素として、一対の対向垂下部１ｃの間にこれらと直交する態様で連続形成された連結垂下部（１ｄ’は図４のみで使用），
１ｅはトリガレバー１の静止モードや回動操作初期段階で後述の円柱状部２ｃと当接して、回動操作の際には後述の可動通路部材２を下方向に駆動する、連結垂下部底面とその両側に続く対向垂下部底面からなる小さな前後幅の横方向態様で連続形成された単一底面部分，
１ｅ’はトリガレバー１の静止モードや回動操作全段階で後述の円柱状部２ｃと当接して、回動操作の際には後述の可動通路部材２を下方向に駆動する、連結垂下部底面とその両側に続く対向垂下部底面からなる大きな前後幅の横方向態様で連続形成された単一底面部分（図４のみで使用），
１ｆは単一底面部分１ｅの両端からそれぞれ後方に縦方向態様で連続形成され、当該単一底面部分と同様にトリガレバー１の回動操作時（初期段階を除く）には後述の円柱状部２ｃと当接して可動通路部材２を下方向に駆動する、対向垂下部１ｃの各下端側の中間曲面部分，
１ｇはトリガレバー後側の両側面にそれぞれ形成されて後述の軸部分６ｂとの係合作用を呈する一対の孔部（＝トリガレバーの回動中心），
２はトリガレバー１の回動操作に応じて下方向に駆動されるＬ字筒状の可動通路部材，
２ａは可動通路部材の内側に形成された内容物通路，
２ｂは当該内容物通路の下流側を構成する横筒状部，
２ｃは当該横筒状部と直交する方向にその上面から上方に突出する態様で連続形成され、トリガレバー１の回動操作にともないその小さな前後幅の単一底面部分１ｅおよび中間曲面部分１ｆと順次当接し、またはその大きな前後幅の単一底面部分１ｅ’と当接して、下方向への駆動力を受ける円柱状部，
２ｄは内容物通路２ａの上流側を構成する縦筒状部，
２ｅは当該縦筒状部の上側部分に形成されて後述の衝撃吸収ストッパー６の上端部の当接相手となる環状段部，
３は可動通路部材２の先端側に嵌合状態で取り付けられたノズル，
３ａは内容物流出用の孔部，
４は液状内容物を収容した容器本体，
５は内容物が貯留され、また弁機構が設けられた周知のハウジング（図示省略）と一体化して容器本体４に着脱自在な形で取り付けられる筒状のカバー体，
５ａは容器本体４の開口部に螺合しているネジキャップ作用部，
５ｂはネジキャップ作用部５ａの上方に連続して形成され、後述の衝撃吸収ストッパー６の下端部分の受け部として作用する小径筒状部，
５ｃはネジキャップ作用部５ａから上斜め方向に延びるアーム状部，
５ｄはトリガレバー１の孔部１ｇと係合し、当該トリガレバーの回動中心軸として作用する一対の軸部分，
をそれぞれ示している。
【００２５】
図１，図２および図５において、
６は縦方向に撓む形状からなり、トリガレバー１が回動操作されていない静止モードにおいて、小径筒状部５ｂの上端面部分と縦筒状部２ｄの環状段部２ｅとの間の縦筒状部外周面に、着脱自在な形で取り付けられるＣ形横断面（本体部）の衝撃吸収ストッパー，
６ａは縦筒状部２ｄへの着脱操作用のつまみ部，
６ｂはつまみ部６ａに連結されて縦筒状部２ｄへの取付け対象となる単一本体部，
６ｃは単一本体部６ｂの内周面の上下にそれぞれ形成されて衝撃吸収作用を呈する周方向溝状部分，
７〜１２はそれぞれ縦方向に撓む形状からなり、衝撃吸収ストッパー６と同様に、トリガレバー１が回動操作されていない静止モードにおいて、小径筒状部５ｂの上端面部分と縦筒状部２ｄの環状段部２ｅとの間の縦筒状部外周面部分に、着脱自在な形で取り付けられる各種Ｃ形横断面（本体部）の衝撃吸収ストッパー，
７ａ〜１２ａは縦筒状部２ｄへの着脱操作用のつまみ部，
７ｂはつまみ部７ａに連結されて縦筒状部２ｄへの取付け対象となる単一本体部，
７ｃは単一本体部７ｂの縦方向貫通切欠部の反対側（つまみ部７ａと対向する側）の上端部分および下端部分にそれぞれ形成された縦方向の上下端側切欠部，
７ｄは上下端側切欠部７ｃから縦方向貫通切欠部までの内周面の上下にそれぞれ形成された周方向溝状部分，
８ｂは縦筒状部２ｄへの取付け対象となる横Ｃ形状の上側本体部，
８ｃは縦筒状部２ｄへの取付け対象となる横Ｃ形状の下側本体部，
８ｄはつまみ部８ａと上側本体部８ｂとの間に形成された斜め上方向連結部，
８ｅはつまみ部８ａと下側本体部８ｃとの間に形成された斜め下方向連結部，
９ｂはつまみ部９ａに連結されて縦筒状部２ｄへの取付け対象となる蛇腹形状の単一本体部，
１０ｂはつまみ部１０ａに連結されて縦筒状部２ｄへの取付け対象となる単一本体部，
１０ｃはこの単一本体部１０ｂの上下域それぞれに個々に形成された周方向孔部，
１１ｂは縦筒状部２ｄへの取付け対象となる単一本体部，
１１ｃはこの単一本体部１１ｂの一部であって上下に並ぶ四個の横Ｃ形状部分，
１１ｄはこれら横Ｃ形状部分の上下に対向する端同士をいわば互い違いに順次接続した形の三個の縦連結部分，
１１ｅは上から２番目の横Ｃ形状部分１１ｃとつまみ部１１ａとの間に形成された上側連結部，
１１ｆは上から３番目の横Ｃ形状部分１１ｃとつまみ部１１ａとの間に形成された下側連結部，
１２ｂはつまみ部１２ａに連結されて縦筒状部２ｄへの取付け対象となる単一本体部，
１２ｃはこの単一本体部１２ｂの周面部分に対向する態様で形成された円状孔部，
をそれぞれ示している。
【００２６】
図１〜図５の内容物放出機構の特徴は、
(21)トリガレバー１と可動通路部材２との連動作用部分として、トリガレバー側の単一底面部分１ｅ，１ｅ’およびこれが当接する可動通路部材側の円柱状部２ｃを用い、少なくともトリガレバー１が回動していない静止モード，誤動作防止モードでは当該円柱状部の外周面横方向（軸方向）の全幅にわたって当該単一底面部分が当接する、
(22)可動通路部材２の環状段部２ｇとカバー体５の小径筒状部５ｂとの間の縦筒状部２ｄに、Ｃ形横断面形状の本体からなる誤動作防止用のストッパー６〜１２が着脱自在な形で取り付けられる、
(23)誤動作防止用のストッパー６〜１２が、それぞれ縦方向に撓む形状からなる衝撃吸収ストッパーとなっている、
ことなどである。
【００２７】
すなわち、図１〜図５の内容物放出機構は、
(31)トリガレバー１および可動通路部材２の連動作用部分において大きな接触面積を確保し、
(32)トリガレバー１，可動通路部材２と誤動作防止用のストッパー６〜１２との接触面積を、縦筒状部２ｄに組み込まれて回動するタイプの筒状ストッパーを用いる場合よりも大きくし、
(33)誤動作防止用のストッパー６〜１２がそれぞれ衝撃吸収機能を有する、
ものである。
【００２８】
ここで、図１の衝撃吸収ストッパー６を可動通路部材２の縦筒状部２ｄに取付けた誤動作防止モードにおいては、利用者がトリガレバー１を回動操作することができない。
【００２９】
これは単一底面部分１ｅ，１ｅ’および円柱状部２ｃの当接作用を介してトリガレバー１と連動すべき可動通路部材２の環状段部２ｅが、衝撃吸収ストッパー６にいわば係止されているからである。
【００３０】
衝撃吸収ストッパー６は、環状段部２ｅと小径筒状部５ｂとの間の可動通路部材外周面に取り付けられて、可動通路部材２の下動、すなわちトリガレバー１の回動操作を阻止している。
【００３１】
すなわち、この衝撃吸収ストッパー６を可動通路部材外周面に取り付けた誤動作防止モードでは、単一本体部６ｂの上端面であるＣ字状平坦面部分が可動通路部材２の環状段部２ｅと略当接・対向し、かつ、下端面であるＣ字状平坦面部分がカバー体５の小径筒状部５ｂの上端面部分に略当接・対向している。そのため、可動通路部材２は下動できず、トリガレバー１の回動が阻止される。
【００３２】
なお、この誤動作防止モードにおける衝撃吸収ストッパー６と環状段部２ｅおよび小径筒状部５ｂとの当接・対向状態は、他の衝撃吸収ストッパー７〜１２においても十分に担保される。
【００３３】
図２の作動モードは、図１の衝撃吸収ストッパー６を可動通路部材２の縦筒状部２ｄから取り外した状態である。
【００３４】
このときトリガレバー１の回動操作が可能である。トリガレバー１の回動操作にともなって可動通路部材２が下動し、任意の出力側弁作用部（図示省略）がそれまでの閉状態から開状態へと作動して、容器本体側の内容物が可動通路部材２およびノズル３を経て孔部３ａから外部空間域に放出されることは勿論である。
【００３５】
衝撃吸収ストッパー６〜１２が縦方向に撓むのは、概略、それぞれいくらかの弾性を呈する性状のもので、
・衝撃吸収ストッパー６は、その単一本体部６ｂに上下それぞれの周方向溝状部分６ｃを有し、
・衝撃吸収ストッパー７は、その単一本体部７ｂに上下端側切欠部７ｃおよび上下それぞれの周方向溝状部分７ｄを有し、
・衝撃吸収ストッパー８は、「上側本体部８ｂ＋斜め上方向連結部８ｄ」と「下側本体部８ｃ＋斜め下方向連結部８ｅ」とを有し、
・衝撃吸収ストッパー９は、蛇腹形状の単一本体部９ｂを有し、
・衝撃吸収ストッパー１０は、その単一本体部１０ｂに上下それぞれの周方向孔部１０ｃを有し、
・衝撃吸収ストッパー１１は、その単一本体部１０ｂが、複数の横Ｃ形状部分１１ｃとこれらの上下の対向端部分を互い違いに接続する複数の縦連結部分１１ｄとで形成され、
・衝撃吸収ストッパー１２は、その単一本体部１２ｂに対向する一対の円状孔部１２ｃを有している、
からである。
【００３６】
なお、図１〜図５で使用する衝撃吸収ストッパー６〜１２はいずれも、トリガレバー１および可動通路部材２に対して当該可動通路部材の段部２ｅのみを受けるものである。
【００３７】
図６〜図１０において、
１’は後述の衝撃吸収ストッパー１３，１４と当接する関連部分を積極的に形成し、その他の部分は図１〜図３のトリガレバーと同一形状からなるトリガレバー（その２），
１ｈは一対の対向垂下部１ｃの間に連続形成された誤動作防止用のリブ状部，
１ｊはリブ状部１ｈの下端面であって、衝撃吸収ストッパー１３，１４の上端のＣ字状平坦面部分１３ｅ，１４ｅ（の一部）と当接する誤動作防止用の湾曲平坦面部分，
１ｋは湾曲平坦面部分１ｊと連続する態様でトリガレバー１’の両サイド部の下端面であって、衝撃吸収ストッパー１３，１４の上端のＣ字状平坦面部分（の一部）と当接する誤動作防止用の一対の直線状平坦面部分，
１３はトリガレバー１が回動操作されていない静止モードにおいて、可動通路部材２の縦筒状部２ｄ外周面部分に着脱自在な形で取り付けられることにより、トリガレバー１’のみを受ける衝撃吸収ストッパー，
１３ａは縦筒状部２ｄへの着脱操作用のつまみ部，
１３ｂはつまみ部１３ａに連結されて縦筒状部２ｄへの取付け対象となるＣ形横断面の単一本体部，
１３ｃは単一本体部１３ｂの上側大径部分，
１３ｄは単一本体部１３ｂの下側小径部分，
１３ｅは上側大径部分１３ｃの上端面であってトリガレバー１’の湾曲平坦面部分１ｊおよび直線状平坦面部分１ｋそれぞれの一部と当接するＣ字状平坦面部分，
１３ｆは上側大径部分１３ｃおよび下側小径部分１３ｄの各内周面に形成されて衝撃吸収作用を呈する周方向溝状部分，
１４はトリガレバー１が回動操作されていない静止モードにおいて、可動通路部材２の縦筒状部２ｄ外周面部分に着脱自在な形で取り付けられることにより、トリガレバー１’および可動通路部材２を受けるいわばダブルタイプの衝撃吸収ストッパー，
１４ａは縦筒状部２ｄへの着脱操作用のつまみ部，
１４ｂはつまみ部１４ａに連結されて縦筒状部２ｄへの取付け対象となる単一本体部，
１４ｃは単一本体部１４ｂの構成要素であってＣ形横断面からなる外側部分（＝上側大径部分１３ｃ），
１４ｄは外側部分１４ｃの下端部分と連結されてＣ形横断面からなる内側部分，
１４ｅは外側部分１４ｃの上端面部分であって、衝撃吸収ストッパー１３のＣ字状平坦面部分１３ｅと同様の当接作用を呈するＣ字状の外側平坦面部分，
１４ｆは内側小径部分１４ｄの上端面部分であって、衝撃吸収ストッパー６〜１２と同様に縦筒状部２ｄの環状段部２ｅとの当接作用を呈するＣ字状の内側平坦面部分，
１４ｇは外側部分１４ｃの内周面の上側部分に形成されて衝撃吸収作用を呈する周方向溝状部分，
１４ｈは外側部分１４ｃの内周面の各上下部分に形成されて衝撃吸収作用を呈する周方向溝状部分，
をそれぞれ示している。
【００３８】
図６〜図８の衝撃吸収ストッパー１３は、トリガレバー１’および可動通路部材２に対して当該トリガレバーのみを受けるものである。
【００３９】
すなわち、衝撃吸収ストッパー１３を可動通路部材２の縦筒状部２ｄに取付けた誤動作防止モードでは、当該ストッパー（単一本体部１３ｂ）の上側大径部分１３ｃの上端面であるＣ字状平坦面部分１３ｅがトリガレバー１’の湾曲平坦面部分１ｊおよび直線状平坦面部分１ｋと略当接し、対向する。
【００４０】
そして、このトリガレバー１’と、下端面部分がカバー体５の小径筒状部５ｂに保持される衝撃吸収ストッパー１３との当接・対向状態の設定により、トリガレバー１’の回動操作は確実に阻止される。
【００４１】
図８の誤動作防止モードでトリガレバー１’などに略下方向への衝撃力が加わったとしても、当該衝撃力は衝撃吸収ストッパー１３の縦方向への撓みによって吸収される。そのため、トリガレバー１’への衝撃に対する内容物放出機構の各構成要素の破損の程度を確実に抑えることができる。
【００４２】
この縦方向への撓みが生じえるのは、衝撃吸収ストッパー１３が衝撃吸収ストッパー６などと同様に弾性を呈する性状のもので、その単一本体部１３ｂの内周面に上下それぞれの周方向溝状部分１３ｆが形成されているからである。
【００４３】
図９および図１０の衝撃吸収ストッパー１４は、トリガレバー１’および可動通路部材２の双方を受けるものである。
【００４４】
すなわち、衝撃吸収ストッパー１４を可動通路部材２の縦筒状部２ｄに取付けた誤動作防止モードでは、
(41)当該ストッパー（単一本体部１４ｂ）の外側部分１４ｃの上端面であるＣ字状の外側平坦面部分１４ｅが、トリガレバー１’の湾曲平坦面部分１ｊおよび直線状平坦面部分１ｋと略当接して対向し、かつ、
(42)当該ストッパー（単一本体部１４ｂ）の内側部分１４ｄの上端面であるＣ字状の内側平坦面部分１４ｆが、可動通路部材２の環状段部２ｅと略当接して対向する。
【００４５】
そして、このトリガレバー１’および可動通路部材２のそれぞれと、下端面部分がカバー体５の小径筒状部５ｂに保持される衝撃吸収ストッパー１４との当接・対向状態の設定により、トリガレバー１’の回動操作は確実に阻止される。
【００４６】
図１０の誤動作防止モードでトリガレバー１’などに略下方向への衝撃力が加わったとしても、当該衝撃力は衝撃吸収ストッパー１４の縦方向への撓みによって吸収される。そのため、トリガレバー１’への衝撃に対する内容物放出機構の各構成要素の破損の程度を確実に抑えることができる。
【００４７】
この縦方向への撓みが生じえるのは、衝撃吸収ストッパー１４が衝撃吸収ストッパー６などと同様に弾性を呈し、その単一本体部１４ｂの外側部分１４ｃおよび内側部分１４ｄの各内周面に周方向溝状部分１４ｇ，１４ｈが形成されているからである。
【００４８】
なお、図６〜図１０のトリガレバー１’を用いる場合にも上記(21)〜(23)，(31)〜(33)と同様のことがそのままあてはまる。
【００４９】
図１〜図１０における可動通路部材２の縦筒状部２ｂに衝撃吸収ストッパー６，６’〜１４を取り付けるには、例えば図８(a)，図１０(a)に示すように、それぞれのつまみ部６ａ〜１４ａを持って先ずトリガレバー１，１’の側面の方からいわば差し込む。そして差込み後のつまみ部を図示左側の前方へと回す。
【００５０】
図１１において、
６’は衝撃吸収ストッパー６と同様の形状からなり、後述の押圧操作ボタン２１が押下げ操作されていない静止モードにおいて、後述の小径筒状部２３ｂに着脱自在な形で取り付けられるＣ形横断面（本体部）の衝撃吸収ストッパー，
２１は内容物通路部を備えた上下動タイプの押圧操作ボタン，
２１ａは内容物放出用のノズル部分，
２１ｂは後述の小径筒状部２３ｂを取り囲む形の上下方向の外側筒状部，
２２は押圧操作ボタン２１の内容物通路部と結合して下側部分が弁作用部などを構成する周知のステム（可動通路部材），
２３はハウジング（図示省略）と一体化して容器本体４に着脱自在な形で取り付けられ、ステム２２などを保護する筒状のカバー体，
２３ａは容器本体４の開口部に螺合しているネジキャップ作用部，
２３ｂはネジキャップ作用部２３ａから上方に連続形成されて、押圧操作ボタン２１の押下げ操作時には外側筒状部２１ｂの内側に入り込む形の小径筒状部，
２３ｃはネジキャップ作用部２３ａの環状天面（＝小径筒状部２３ｂの外側環状部分），
をそれぞれ示している。
【００５１】
図１１の衝撃吸収ストッパー６’は、上下動タイプの押圧操作ボタン２１のみを受けるものである。
【００５２】
すなわち、衝撃吸収ストッパー６’をカバー体２３の小径筒状部２３ｂに取付けた誤動作防止モードでは、当該ストッパーの単一本体部６ｂの上端面であるＣ字状平坦面部分が押圧操作ボタン２１の下端面部分と略当接し、対向する。なお、単一本体部６ｂの下端面のＣ字状平坦面部分はカバー体２３の環状天面２３ｃに略当接し、対向している。
【００５３】
そして、この押圧操作ボタン２１と衝撃吸収ストッパー６’との当接・対向状態の設定により、当該操作ボタンの押下げ操作は確実に阻止される。
【００５４】
図１１の誤動作防止モードで押圧操作ボタン２１などに略下方向への衝撃力が加わったとしても、当該衝撃力は衝撃吸収ストッパー６’の縦方向への撓みによって吸収される。そのため、押圧操作ボタン２１への衝撃に対する内容物放出機構の各構成要素の破損の程度を確実に抑えることができる。
【００５５】
この縦方向への撓みが生じえるのは、衝撃吸収ストッパー６’が弾性を呈する性状のもので、その単一本体部６ｂの内周面に上下それぞれの周方向溝状部分６ｃが形成されているからである。
【００５６】
図１１の小径筒状部２３ｂを除いた形のカバー体に対しても衝撃吸収ストッパーを使用できる。このときの衝撃吸収ストッパーは、ステム２２に取り付けられて、押圧操作ボタン２１のステム嵌合対象の内側筒状部の下端面部分、およびカバー体の環状天面２３ｃのそれぞれと略当接し、対向する。
【００５７】
なお、図６〜図１１の衝撃吸収ストッパー１３，１４，６’を可動通路部材２の縦筒状部２ｄやカバー体２３の小径筒状部２３ｂから取り外した状態で、トリガレバー１’を回動操作したとき、また押圧操作ボタン２１を押下げ操作したときに、任意の出力側弁作用部（図示省略）がそれまでの閉状態から開状態へと動作して内容物が可動通路部材２，ステム２２，ノズル３を経て孔部３ａから外部空間域に放出されることは勿論である。
【００５８】
また、図１１の押圧操作ボタン２１を用いる場合にも上記(22)，(23)，(32)，(33)と同様のことがあてはまる。
【００５９】
以上の説明で用いた各構成要素はそれぞれ、ポリプロピレン，ポリエチレン，ポリアセタール，ナイロン，ポリブチレンテレフタレートなどからなるプラスチック製のものである。
【００６０】
なお、本発明の特徴を、
(51)トリガレバー１の連動作用部１ｂと可動通路部材２の円柱状部２ｃとが当接していること、
(52)衝撃吸収ストッパー６，６’〜１４が縦方向に撓む形状からなること、
(53)当該衝撃吸収ストッパーでトリガレバー１，１’や可動通路部材２を受けること、
として把握する限りにおいては、当該衝撃吸収ストッパーを非着脱式で回動タイプのものにしてもよい。
【００６１】
本発明は、エアゾール式製品にも適用することができる。その場合、カバー体を周知のエアゾール容器本体に嵌合する態様にして、可動通路部材でエアゾール容器本体の放出弁作用部材（ステム）を押し下げるようにすればよい。
【００６２】
本発明が適用されるポンプ式製品やエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，栄養補助食品（ビタミンなど）医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６３】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００６４】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６５】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６６】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６７】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６８】
高分子化合物としては、メチルセルロース，ゼラチン，デンプン，カゼイン，ヒドロキシエチルセルロース，キサンタンガム，カルボキシビニルポリマーなどを用いる。
【００６９】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００７０】
さらに、上記内容物以外の、懸濁剤，紫外線吸収剤，乳化剤，保湿剤，酸化防止剤、金属イオン封鎖剤なども用いることができる。
【００７１】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００７２】
１，１’：回動式のトリガレバー
（１は図１〜図４のみで使用，１’は図７，図８，図１０のみで使用）
１ａ：開口部
１ｂ：連動作用部
１ｃ：一対の対向垂下部
１ｄ，１ｄ’：連結垂下部（１ｄ’は図４のみで使用）
１ｅ，１ｅ’：単一底面部分（１ｅ’は図４のみで使用）
１ｆ：中間曲面部分
１ｇ：一対の孔部（＝トリガレバーの回動中心）
１ｈ：リブ状部
１ｊ：湾曲平坦面部分
１ｋ：一対の直線状平坦面部分
（１ｈ〜１ｋは図７，図８，図１０のみで使用）
２：可動通路部材
２ａ：内容物通路
２ｂ：横筒状部
２ｃ：円柱状部
２ｄ：縦筒状部
２ｅ：環状段部
３：ノズル
３ａ：孔部
４：容器本体
５：カバー体
５ａ：ネジキャップ作用部
５ｂ：小径筒状部
５ｃ：アーム状部
５ｄ：一対の軸部分
６：シングルタイプ（可動通路部材対応）の衝撃吸収ストッパー
（６は図１，図５のみで使用）
６’：シングルタイプ（押圧操作ボタン対応）の衝撃吸収ストッパー
（６’は図１１のみで使用）
６ａ：つまみ部
６ｂ：単一本体部
６ｃ：周方向溝状部分
【００７３】
７〜１２：シングルタイプ（可動通路部材対応）の衝撃吸収ストッパー
７ａ〜１２ａ：つまみ部
７ｂ：単一本体部
７ｃ：上下端側切欠部
７ｄ：周方向溝状部分
８ｂ：上側本体部
８ｃ：下側本体部
８ｄ：斜め上方向連結部
８ｅ：斜め下方向連結部
９ｂ：蛇腹形状の単一本体部
１０ｂ：単一本体部
１０ｃ：周方向孔部
１１ｂ：単一本体部
１１ｃ：四個の横Ｃ形状部分
１１ｄ：三個の縦連結部分
１１ｅ：上側連結部
１１ｆ：下側連結部
１２ｂ：単一本体部
１２ｃ：円状孔部
（７〜１２ｃは図５のみで使用）
【００７４】
１３：シングルタイプ（トリガレバー対応）の衝撃吸収ストッパー
１３ａ：つまみ部
１３ｂ：単一本体部
１３ｃ：上側大径部分
１３ｄ：下側小径部分
１３ｅ：Ｃ字状平坦面部分
１３ｆ：周方向溝状部分
（１３〜１３ｆは図６，図７，図８のみで使用）
【００７５】
１４：ダブルタイプ（可動通路部材・トリガレバー対応）の衝撃吸収ストッパー
１４ａ：つまみ部
１４ｂ：単一本体部
１４ｃ：外側部分（＝上側大径部分１３ｃ）
１４ｄ：内側部分
１４ｅ：外側平坦面部分
１４ｆ：内側平坦面部分
１４ｇ，１４ｈ：周方向溝状部分
（１４〜１４ｈは図９，図１０のみで使用）
【００７６】
２１：押圧操作ボタン
２１ａ：ノズル部分
２１ｂ：外側筒状部
２２：ステム（可動通路部材）
２３：カバー体
２３ａ：ネジキャップ作用部
２３ｂ：小径筒状部
２３ｃ：環状天面（＝小径筒状部２３ｂの外側環状部分）
（２１〜２３ｃは図１１のみで使用）
【図１】
0005435714.tif 000002
【図２】
0005435714.tif 000003
【図３】
0005435714.tif 000004
【図４】
0005435714.tif 000005
【図５】
0005435714.tif 000006
【図６】
0005435714.tif 000007
【図７】
0005435714.tif 000008
【図８】
0005435714.tif 000009
【図９】
0005435714.tif 000010
【図１０】
0005435714.tif 000011
【図１１】
0005435714.tif 000012